(57)【特許請求の範囲】
【請求項１】
合成樹脂等からなるケースと、該ケースに取り付けられた金属板等からなる取付部材と、回転可能な操作軸とを備え、前記取付部材には、前面板と、この前面板から折り曲げられて前記ケースの底面から後方に突出し前記ケースの底面から後方に離れた位置に係止部を有する取付腕部とを設け、前記前面板が前記ケースに設けた凹部を覆った状態で、前記取付腕部が前記ケースの後方に突出すると共に、前記前面板には、前記操作軸を回転可能に保持する軸受け部が設けられ、前記係止部がプリント基板からなる平板状の取付板の取付面に当接すると共に、前記ケースの底面の一部が前記取付板の取付面に当接して、前記取付板の取付面に対して前記操作軸を斜め方向に突出させるようにしたことを特徴とする回転型電気部品。
【請求項２】
前記取付腕部を複数個設けると共に、前記取付腕部には、前記ケースの底面からの距離の異なる位置に前記係止部を設け、距離の異なる位置に設けられた前記係止部を前記取付板の取付面に当接して、前記取付板の取付面に対して前記操作軸を斜め方向に突出させるようにしたことを特徴とする請求項１記載の回転型電気部品。
【請求項３】
前記ケースには端子が取り付けられ、該端子の近傍に位置する前記ケースの底面側の一端を前記ケースの底面の一部として前記取付板の取付面に当接させ、前記操作軸を挟んで対向する前記ケースの底面側の他端が前記取付板の取付面から離間して、前記取付板の取付面に対して前記操作軸を斜め方向に突出させるようにしたことを特徴とする請求項１、又は２記載の回転型電気部品。
【請求項４】
前記操作軸の軸線方向に対して傾斜し、且つ、前記取付板の取付面に対して垂直方向に伸びる前記取付腕部を備えたことを特徴とする請求項１、又は２、又は３記載の回転型電気部品。
【請求項５】
前記取付板の取付面に対して垂直方向に伸びる前記取付腕部にスナップ部を設けたことを特徴とする請求項４記載の回転型電気部品。
【発明の詳細な説明】
【０００１】
【発明の属する技術分野】
本発明は、ホームステレオ等の電子機器に使用して好適な回転型電気部品に関する。
【０００２】
【従来の技術】
従来のホームステレオ等の電子機器は、種々のデザイン化が行われて、その形状が多様化されている。
その結果、各種の電気部品を搭載するプリント基板等の取付板が、電子機器のパネルに対して非平行状態の傾斜した状態で配設されるものが出現している。
【０００３】
そして、従来のロータリエンコーダ、可変抵抗器等の回転型電気部品は、図５に示すように、合成樹脂の成型品からなるケース２１には、Ｌ字状の端子２２と、軸受け部２３が取り付けられ、また、この軸受け部２３には、操作軸２４が回転可能に取り付けられていて、操作軸２４の回転で、ケース２１内に配置された回転体（図示せず）を回転して、回転型電気部品を操作するようになっている。
【０００４】
そして、このような回転型電気部品の取付は、プリント基板等の取付板２５の取付面２５ａに、ケース２１の底面２１ａ全面を当接させた状態で、端子２２を取付板２５に貫通させ、端子２２を取付板２５の導電パターン（図示せず）に半田付して、取り付けるようにっている。
しかしながら、図５に示すように、取付板２５に対して、電子機器のパネル２６が傾斜状態にデザイン化されたものにおいては、操作軸２４がパネル２６面に対して斜め方向に突出した状態となり、不都合が生じる。
【０００５】
【発明が解決しようとする課題】
従来の回転型電気部品は、ケース２１の底面２１ａ全面を取付板２５に当接した状態で、取付板２５に取り付けるため、パネル２６が取付板２５に対して傾斜したものにおいては、操作軸２４がパネル２６面に対して斜め方向に突出した状態となり、不都合が生じるという問題がある。
【０００６】
【課題を解決するための手段】
上記課題を解決するための第１の解決手段として、合成樹脂等からなるケースと、該ケースに取り付けられた金属板等からなる取付部材と、回転可能な操作軸とを備え、前記取付部材には、前面板と、この前面板から折り曲げられて前記ケースの底面から後方に突出し前記ケースの底面から後方に離れた位置に係止部を有する取付腕部とを設け、前記前面板が前記ケースに設けた凹部を覆った状態で、前記取付腕部が前記ケースの後方に突出すると共に、前記前面板には、前記操作軸を回転可能に保持する軸受け部が設けられ、前記係止部がプリント基板からなる平板状の取付板の取付面に当接すると共に、前記ケースの底面の一部が前記取付板の取付面に当接して、前記取付板の取付面に対して前記操作軸を斜め方向に突出させるようにした構成とした。
また、第２の解決手段として、前記取付腕部を複数個設けると共に、前記取付腕部には、前記ケースの底面からの距離の異なる位置に前記係止部を設け、距離の異なる位置に設けられた前記係止部を前記取付板の取付面に当接して、前記取付板の取付面に対して前記操作軸を斜め方向に突出させるようにした構成とした。
【０００７】
また、第３の解決手段として、前記ケースには端子が取り付けられ、該端子の近傍に位置する前記ケースの底面側の一端を前記ケースの底面の一部として前記取付板の取付面に当接させ、前記操作軸を挟んで対向する前記ケースの底面側の他端が前記取付板の取付面から離間して、前記取付板の取付面に対して前記操作軸を斜め方向に突出させるようにした構成とした。
また、第４の解決手段として、前記操作軸の軸線方向に対して傾斜し、且つ、前記取付板の取付面に対して垂直方向に伸びる前記取付腕部を備えた構成とした。
また、第５の解決手段として、前記取付板の取付面に対して垂直方向に伸びる前記取付腕部にスナップ部を設けた構成とした。
【０００８】
【発明の実施の形態】
本発明の回転型電気部品を図１〜図３に基づいて説明すると、図１は本発明の回転型電気部品の正面図、図２は本発明の回転型電気部品の側面図、図３は図１の３ー３線における断面図である。
【０００９】
次に、本発明の回転型電気部品をロータリーエンコーダを例に説明すると、合成樹脂の成型品からなるケース１は、矩形状をなし、中心部に設けられた凹部１ａと、前面部にもうけられた凸部１ｂと、後部に設けられた底面１ｃを有する脚部１ｄとを有している。
また、接点部２は、金属板からなり、ケース１に埋設されて、凹部１ａ内で露出した状態となっている。
また、複数個の端子３は、金属板からなり、前記接点部２に接続された状態でケース１に並設して埋設され、その自由端部は折り曲げられて、ケース１の後方に伸びている。
【００１０】
合成樹脂の成型品からなる操作軸４は、軸部４ａと、軸部４ａの一端に設けられた回転体４ｂと、回転体４ｂの前面部に設けられた凹凸部４ｃとを有している。
また、接片５は、金属板からなり、この接片５は、回転体４ｂの後部に固着されている。
そして、操作軸４は、回転体４ｂをケース１の凹部１ａ内に回転可能に収納して取り付けられ、接片５が接点部２と接離するようになっている。
【００１１】
また、取付部材６は、金属板を折り曲げ加工して形成され、矩形状の前面板６ａと、絞り加工により形成された軸受け部６ｂと、前面板６ａから後方に伸びて形成され、根本部分が広幅で、先端部分が細幅をなした第１の取付腕部６ｃと、この取付腕部６ｃの広幅と細幅との境に形成された係止部６ｄと、前面板６ａから後方に伸びて形成された複数個の第２の取付腕部６ｅと、この取付腕部６ｅの端部に折り曲げられて形成されたスナップ部６ｆとを有している。
そして、第１の取付腕部６ｃは、前面板６ａの面に対して垂直に後方に伸び、また、第２の取付腕部６ｅは、前面板６ａの面に対して傾斜した状態で後方に伸びている。
【００１２】
そして、この取付部材６は、軸受け部６ｂ内に軸部４ａを挿通した状態で、前面板６ａがケース１の凹部１ａを塞ぐようにケース１の前面に配置され、前面板６ａを貫通したケース１の凸部１ｂをカシメて変形させて、取付部材６をケース１に取り付けている。
また、この取付部材６がケース１に取り付けられた際、第１の取付腕部６ｃは、操作軸１を挟んで端子３と対向した位置にあって、係止部６ｄが脚部１ｄの底面１ｃから大きく離間した状態にあり、また、第２の取付腕部６ｅは、第１の取付腕部６ｃと端子３との間に位置にあって、操作軸４の軸線Ｓ方向に対して傾斜し、且つ、端子３側に傾斜した状態となっていると共に、スナップ部６ｆが底面１ｃからやや離間した位置にあり、そして、端子３の近傍に位置した脚部１ｄの底面１ｃの一部とスナップ部６ｆと係止部６ｄとが一直線上に位置した状態となっている。
また、節度板７は、金属板からなり、この節度板７は、ケース１の前面と取付腕部６の前面板６ａとで挟持されて取り付けられ、節度板７の一部が凹凸部１ｄと係脱を行うようにっている。
【００１３】
そして、このような回転型電気部品の操作は、操作軸４を回転すると、軸部４ａが取付部材６の軸受け部６ｂをガイドにして回転し、この回転に伴って回転体４ｂが回転する。
すると、回転体４ｂの回転により凹凸部４ｃが回転して、節度板７との間で係脱を繰り返して操作軸４が節度を持って回転すると共に、接片５も回転するため、接片５が接点部２と接離して接点の切り換えが行われ、これによって、ロータリーエンコーダの切り換えが行われて、端子３から信号を取り出すようになっている。
【００１４】
また、このような回転型電気部品の電子機器への組み込みは、前述したように、回転型電気部品を取り付けるためのプリント基板からなる取付板８と、パネル９とは非平行状態に配設されており、先ず、取付板８に端子３を貫通させると共に、端子３の近傍に位置するケース１の脚部１ｄの底面１ｃの一部を取付板８の取付面に当接させると共に、第１の取付腕部６ｃを取付板８に貫通させて、係止部６ｄを取付板８の取付面に当接させる。
この時、スナップ部６ｆは、取付板８の孔（図示せず）を貫通して、取付板８の裏面に係止して取付板８に掛け止めされ、回転型電気部品の取付板８への仮止めが行われると共に、この掛け止めは、第２の取付腕部６ｅが取付板８の取付面に対して垂直状態で行われるようになっている。
【００１５】
また、この状態で、取付板８の裏面に設けられた導電パターン（図示せず）に端子３、及び第１、第２の取付腕部６ｃ、６ｅを半田付けすると、回転型電気部品の取付板８への取付が完了する。
そして、回転型電気部品が取付板８に取り付けられた際、端子３の近傍に位置するケース１の底面１ｃ側の一端を基準位置として、操作軸４を挟んで対向するケース１の底面１ｃ側の他端が取付板８から離間して、操作軸４が取付板８の取付面に対して斜め方向に突出した状態となっている。
そして、このようにして取り付けられた回転型電気部品をパネル９内に収納して、操作軸４の軸部４ａをパネル９から外方に突出させると、操作軸４の軸線Ｓは、パネル９面に対して垂直状態に取り付けられたものとなる。
【００１６】
また、図４は本発明の回転型電気部品の他の実施例を示し、この実施例は、第１の取付腕部６ｃをケース１の対向する側部に一対形成し、また、第２の取付腕部６ｅにおいては、根本部分が広幅、先端部分が細幅となし、広幅と細幅の境に係止部６ｇを形成し、係止部６ｄ、６ｇと底面１ｃとが一直線状に成るように形成したものである。
そして、回転型電気部品の取付板８への取付は、取付板８に端子３を貫通させると共に、端子３の近傍に位置するケース１の脚部１ｄの底面１ｃの一部を取付板８の取付面に当接させると共に、第１の取付腕部６ｃを取付板８に貫通させて、係止部６ｄを取付板８の取付面に当接させる。
しかもこの時、スナップ部６ｆは、取付板８の孔（図示せず）を貫通して、取付板８の裏面に係止して取付板８に掛け止めすると共に、係止部６ｇが取付板８に当接して、係止部６ｄ、６ｇと底面１ｃの三点で支持されて取り付けられるようになっている。
【００１７】
その他の構成は、前記実施例と同様であるので同一部品に同一番号を付し、ここでは説明を省略する。
なお、この実施例では、三点支持のもので説明したが、係止部６ｄと６ｇによる二点支持、或いは底面１ｃと係止部６ｇによる二点支持でも良い。
【００１８】
【発明の効果】
本発明の回転型電気部品は、取付部材６の取付腕部６ｃに設けた係止部６ｄを当接して、取付板８の取付面に対して操作軸４を斜め方向に突出させるようにしたため、取付板８とパネル９とが非平行状態にデザイン化された電子機器において、構造が簡単で、生産性の良く、安価な構成によって適用できる回転型電気部品を提供できる。
また、取付部材６の変更のみで対応できるというメリットがある。
また、取付腕部６ｃとケース１の底面１ｃとを取付板８に当接して、取付板８の取付面に対して操作軸４を斜め方向に突出させるようにしたため、その構造が簡単で、生産性が良く、安価な構成によって適用できる回転型電気部品を提供できる。
また、第１の取付部材６ｃに設けた係止部６ｄと、第２の取付腕部６ｅに設けた係止部６ｇとを取付板８に当接して、取付板８の取付面に対して操作軸４を斜め方向に突出させるようにしたため、その構造が簡単で、生産性が良く、安価な構成によって適用できる回転型電気部品を提供できる。
【００１９】
また、端子３の近傍に位置するケース１の底面１ｃ側を基準位置として、操作軸４を挟んで対向するケース１の他端側を取付板８から離間するようにしたため、端子３の取付板８への取付が容易となり、組立性が良好な回転型電気部品を提供できる。
また、取付部材６には、操作軸４の軸線Ｓ方向に対して傾斜した取付腕部６ｅを設けたため、取付板８に対する取付部材６の支持が安定し、確実な取付のできる回転型電気部品を提供できる。
また、傾斜した取付腕部６ｅにスナップ部６ｆを設けたため、取付板８への掛け止めが確実となると共に、電気部品の取付板８への仮止めができて、組立性が良好な回転型電気部品を提供できる。
【図面の簡単な説明】
【図１】本発明の回転型電気部品の正面図。
【図２】本発明の回転型電気部品の側面図。
【図３】図１の３ー３線における断面図。
【図４】本発明の回転型電気部品の他の実施例を示す側面図。
【図５】従来の回転型電気部品の側面図。
【符号の説明】
１  ケース
１ａ  凹部
１ｂ  凸部
１ｃ  底面
１ｄ  脚部
２  接点部
３  端子
４  操作軸
４ａ  軸部
４ｂ  回転体
４ｃ  凹凸部
５  接片
６  取付部材
６ａ  前面板
６ｂ  軸受け部
６ｃ  第１の取付腕部
６ｄ  係止部
６ｅ  第２の取付腕部
６ｆ  スナップ部
６ｇ  係止部
７  節度板
８  取付板
９  パネル
Ｓ  軸線
【図１】
0003770739.tif 000002
【図２】
0003770739.tif 000003
【図３】
0003770739.tif 000004
【図４】
0003770739.tif 000005
【図５】
0003770739.tif 000006